(57)【要約】【課題】  生体認証を用いて複数のコンピュータで共有する周辺機器の操作を容易にする。【解決手段】  コンピュータは，周辺機器に入力されたデータの送信先情報を登録する送信先情報登録部２００と；周辺機器から送信されたデータを受信するデータ受信部２０６と；を備え，周辺機器は，データを入力するデータ入力部１０４と；各コンピュータを使用するユーザの生体識別情報を，入力されたデータの送信先情報として記憶する生体識別情報記憶部３００と；ユーザにより生体識別情報が入力される生体識別情報入力部１０２と；記憶された生体識別情報と，入力された生体識別情報とからユーザを認証するユーザ認証部３０４と；ユーザ認証部によりユーザ認証が行われた場合に，入力されたデータを生体識別情報に対応する送信先のコンピュータに送信するデータ送信部３１０と；を備える。【選択図】    図２
2007080017.tif 000002
【特許請求の範囲】
【請求項１】
複数のコンピュータで，前記コンピュータの数より少ない周辺機器を共有する周辺機器共有システムであって：
前記コンピュータは，
前記周辺機器に入力されたデータの送信先情報を登録する送信先情報登録部と；
前記周辺機器から送信されたデータを受信するデータ受信部と；
を備え，
前記周辺機器は，
データを入力するデータ入力部と；
前記各コンピュータを使用するユーザの生体識別情報を，前記入力されたデータの送信先情報として記憶する生体識別情報記憶部と；
ユーザにより生体識別情報が入力される生体識別情報入力部と；
前記記憶された生体識別情報と，前記入力された生体識別情報とからユーザを認証するユーザ認証部と；
前記ユーザ認証部によりユーザ認証が行われた場合に，前記入力されたデータを前記生体識別情報に対応する送信先のコンピュータに送信するデータ送信部と；
を備えることを特徴とする，周辺機器共有システム。
【請求項２】
前記周辺機器は，
前記データ入力部により入力されたデータと，前記入力されたデータの送信先情報とを関連付けて記憶するデータ記憶部を備え，
前記コンピュータは，
ユーザの入力に応じて，前記データ記憶部からのデータ送信を依頼するデータ送信依頼部を備えることを特徴とする，請求項１に記載の周辺機器共有システム。
【請求項３】
複数のコンピュータにより共有される周辺機器であって：
データを入力するデータ入力部と；
前記各コンピュータを使用するユーザの生体識別情報を，前記入力されたデータの送信先情報として記憶する生体識別情報記憶部と；
ユーザにより生体識別情報が入力される生体識別情報入力部と；
前記記憶された生体識別情報と，前記入力された生体識別情報とからユーザを認証するユーザ認証部と；
前記ユーザ認証部によりユーザ認証が行われた場合に，前記入力されたデータを前記生体識別情報に対応する送信先のコンピュータに送信するデータ送信部と；
を備えることを特徴とする，周辺機器。
【請求項４】
前記データ入力部により入力されたデータと，前記入力されたデータの送信先情報とを関連付けて記憶するデータ記憶部を備え，
前記データ送信部は，
ユーザの入力に応じて，前記データ記憶部に記憶されたデータを送信することを特徴とする，請求項３に記載の周辺機器。
【請求項５】
前記周辺機器はスキャナ装置であり，
前記データは前記スキャナ装置により読み取られる画像であることを特徴とする，請求項３に記載の周辺機器。
【請求項６】
複数のコンピュータと，前記コンピュータの数より少ない周辺機器とを用いて実現された周辺機器共有方法であって：
前記コンピュータが，
前記周辺機器に入力されたデータの送信先情報を登録するステップと；
前記周辺機器から送信されたデータを受信するステップと；
前記周辺機器が，
データを入力するステップと；
前記各コンピュータを使用するユーザの生体識別情報を，前記入力されたデータの送信先情報として記憶するステップと；
ユーザにより生体識別情報が入力されるステップと；
前記記憶された生体識別情報と，前記入力された生体識別情報とからユーザを認証するステップと；
前記ユーザを認証するステップにおいてユーザ認証が行われた場合に，前記入力されたデータを前記生体識別情報に対応する送信先のコンピュータに送信するステップと；
を含むことを特徴とする，周辺機器共有方法。
【請求項７】
複数のコンピュータにより共有される周辺機器をして，
データを入力する処理と；
前記各コンピュータを使用するユーザの生体識別情報を，前記入力されたデータの送信先情報として記憶する処理と；
前記記憶された生体識別情報と，ユーザにより入力された生体識別情報とからユーザを認証する処理と；
前記入力されたデータを前記生体識別情報に対応する送信先のコンピュータに送信する処理と；
を実行せしめることを特徴とする，コンピュータプログラム。
【請求項８】
複数のコンピュータと，前記コンピュータの数より少ない周辺機器とサーバ装置とが通信網を介して接続された周辺機器共有システムであって：
前記コンピュータは，
前記周辺機器に入力されたデータの送信先情報を登録する送信先情報登録部と；
前記周辺機器から送信されたデータを受信するデータ受信部と；
を備え，
前記周辺機器は，
データを入力するデータ入力部と；
ユーザにより生体識別情報が入力される生体識別情報入力部と；
を備え，
前記サーバ装置は，
前記各コンピュータを使用するユーザの生体識別情報を，前記入力されたデータの送信先情報として記憶する生体識別情報記憶部と；
前記記憶された生体識別情報と，前記入力された生体識別情報とからユーザを認証するユーザ認証部と；
前記ユーザ認証部によりユーザ認証が行われた場合に，前記入力されたデータを前記生体識別情報に対応する送信先のコンピュータに送信するデータ送信部と；
を備えることを特徴とする，周辺機器共有システム。
【請求項９】
前記サーバ装置は，
前記周辺機器により入力されたデータと，前記入力されたデータの送信先情報とを関連付けて記憶するデータ記憶部を備え，
前記コンピュータは，
ユーザの入力に応じて，前記データ記憶部からのデータ送信を依頼するデータ送信依頼部を備えることを特徴とする，請求項８に記載の周辺機器共有システム。
【請求項１０】
複数のコンピュータおよびサーバ装置と通信網を介して接続された前記コンピュータの数より少ない周辺機器であって：
データを入力するデータ入力部と；
ユーザにより生体識別情報が入力される生体識別情報入力部と；
を備え，
前記生体識別情報は，前記入力されたデータの送信先情報としてサーバ装置に記憶され，前記サーバ装置に記憶された生体識別情報と，前記入力された生体識別情報とからユーザ認証が行われることを特徴とする，周辺機器。
【請求項１１】
前記周辺機器はスキャナ装置であり，
前記データは前記スキャナ装置により読み取られる画像であることを特徴とする，請求項１０に記載の周辺機器。
【請求項１２】
複数のコンピュータと前記コンピュータの数より少ない周辺機器と通信網を介して接続されたサーバ装置であって：
ユーザの入力に応じて，前記周辺機器にデータおよび前記ユーザの生体識別情報とが入力されており，
前記各コンピュータを使用するユーザの生体識別情報を，前記入力されたデータの送信先情報として記憶する生体識別情報記憶部と；
前記記憶された生体識別情報と，前記入力された生体識別情報とからユーザを認証するユーザ認証部と；
前記ユーザ認証部によりユーザ認証が行われた場合に，前記入力されたデータを前記生体識別情報に対応する送信先のコンピュータに送信するデータ送信部と；
を備えることを特徴とする，サーバ装置。
【請求項１３】
前記周辺機器に入力されたデータと，前記入力されたデータの送信先情報とを関連付けて記憶するデータ記憶部を備え，
前記データ送信部は，
ユーザの入力に応じて，前記データ記憶部に記憶されたデータを送信することを特徴とする，請求項１２に記載のサーバ装置。
【請求項１４】
複数のコンピュータと，前記コンピュータの数より少ない周辺機器とサーバ装置とを用いて実現された周辺機器共有システムであって：
前記コンピュータが，
前記周辺機器に入力されたデータの送信先情報を登録するステップと；
前記周辺機器から送信されたデータを受信するステップと；
前記サーバ装置が，
前記各コンピュータを使用するユーザの生体識別情報を，前記周辺機器に入力されたデータの送信先情報として記憶するステップと；
前記記憶された生体識別情報と，前記周辺機器に入力された生体識別情報とからユーザを認証するステップと；
前記ユーザを認証するステップによりユーザ認証が行われた場合に，前記入力されたデータを前記生体識別情報に対応する送信先のコンピュータに送信するステップと；
を含むことを特徴とする，周辺機器共有方法。
【請求項１５】
複数のコンピュータと前記コンピュータの数より少ない周辺機器と通信網を介して接続されたサーバ装置をして，
ユーザの入力に応じて，前記周辺機器にデータおよび前記ユーザの生体識別情報とが入力されており，
前記各コンピュータを使用するユーザの生体識別情報を，前記入力されたデータの送信先情報として記憶する処理と；
前記記憶された生体識別情報と，前記入力された生体識別情報とからユーザを認証する処理と；
前記ユーザ認証部によりユーザ認証が行われた場合に，前記入力されたデータを前記生体識別情報に対応する送信先のコンピュータに送信する処理と；
を実行せしめることを特徴とする，コンピュータプログラム。
【発明の詳細な説明】
【技術分野】
【０００１】
本発明は，周辺機器共有システム，周辺機器，サーバ装置，周辺機器共有方法およびコンピュータプログラムに関し，特に複数のコンピュータで，コンピュータの数より少ない周辺機器を共有する周辺機器共有システムに関する。
【背景技術】
【０００２】
例えば，銀行などの窓口において，オペレータ端末１台１台にスキャナやコピー機などの周辺機器を設置するには，周辺機器を設置するスペースやコストがかかるという問題があった。そこで，ＬＡＮ（Ｌｏｃａｌ  Ａｒｅａ  Ｎｅｔｗｏｒｋ）などのネットワークを介して，オペレータ端末に，オペレータ端末の数より少ない数の周辺機器が接続されて共有されていた。これにより，端末１台１台に周辺機器を設置する必要がなく，スペースを有効利用したり，オペレータ端末と同数の周辺装置を購入するコストを削減したりすることが可能となった。
【０００３】
【特許文献１】特開平９−９１４９７号公報
【発明の開示】
【発明が解決しようとする課題】
【０００４】
上記のように，複数のオペレータ端末で周辺機器を共有した場合，周辺機器に入力されたデータが複数のオペレータ端末でも共有されてしまう可能性があるため，オペレータのユーザＩＤやパスワードなどを利用してセキュリティを確保する必要がある。しかし，周辺機器を使用するオペレータは，ユーザＩＤやパスワードを記憶して，周辺機器を使用するたびにユーザＩＤやパスワードを入力しなければならず，操作が煩雑となるという問題があった。
【０００５】
そこで，本発明は，このような問題に鑑みてなされたもので，その目的とするところは，生体認証を用いて，複数のコンピュータで共有する周辺機器の操作を容易にすることが可能な，新規かつ改良された，周辺機器共有システム，周辺機器，サーバ装置，周辺機器共有方法およびコンピュータプログラム。
【課題を解決するための手段】
【０００６】
上記課題を解決するために，本発明のある観点によれば，複数のコンピュータで，コンピュータの数より少ない周辺機器を共有する周辺機器共有システムであって：上記コンピュータは，周辺機器に入力されたデータの送信先情報を登録する送信先情報登録部と；周辺機器から送信されたデータを受信するデータ受信部と；を備え，周辺機器は，データを入力するデータ入力部と；各コンピュータを使用するユーザの生体識別情報を，入力されたデータの送信先情報として記憶する生体識別情報記憶部と；ユーザにより生体識別情報が入力される生体識別情報入力部と；記憶された生体識別情報と，入力された生体識別情報とからユーザを認証するユーザ認証部と；ユーザ認証部によりユーザ認証が行われた場合に，入力されたデータを生体識別情報に対応する送信先のコンピュータに送信するデータ送信部と；を備えることを特徴とする，周辺機器共有システムが提供される。
【０００７】
周辺機器は，複数のコンピュータで共有される装置であって，例えば，スキャナ装置，コピー機，ファクシミリなどを例示できる。生体識別情報は，指紋や眼球の奥の虹彩，あるいは声などの生体的特徴であり，本発明では，特に，ユーザの指紋，指静脈，手静脈などを例示することができる。生体識別情報を用いてユーザ認証を行うことにより，ユーザＩＤやパスワードを用いることなく本人確認を行うことが可能となるため，ユーザは，ユーザＩＤやパスワードを記憶したり，ユーザＩＤやパスワードを入力したりする必要がなくなる。また，パスワードを盗まれることによるなりすまし等による情報漏えいの危険性を低減することができる。
【０００８】
上記構成によれば，予めコンピュータを使用するユーザの生体識別情報をデータの送信先情報として登録し，周辺機器に入力された生体識別情報によりユーザ認証が行われる。正しくユーザ認証が行われた場合には，周辺機器に入力されたデータは，入力された生体識別情報を送信先情報とするコンピュータに送信される。これにより，ユーザは，生体認証を用いた簡易な操作で，周辺機器により読み取られたデータを自己が使用するコンピュータで取得することができる。すなわち，ユーザは，周辺機器に指や手などを置くという簡易な操作だけで，入力データの送信先を指定することができる。また，送信先情報として記憶された生体識別情報を用いてユーザ認証を行うため，パスワードの漏えい等を回避して，セキュリティを向上することができる。
【０００９】
また，上記周辺機器は，データ入力部により入力されたデータと，入力されたデータの送信先情報とを関連付けて記憶するデータ記憶部を備え，上記コンピュータは，ユーザの入力に応じて，データ記憶部からのデータ送信を依頼するデータ送信依頼部を備えるようにしてもよい。
【００１０】
これにより，周辺機器に入力されたデータが生体識別情報に対応する送信先情報と関連付けられて記憶される。そして，コンピュータより入力データの送信依頼があった場合に，送信依頼があったコンピュータを送信先情報とする入力データがコンピュータに送信される。また，データが生体識別情報に対応する送信先ごとに記憶されるため，ユーザは，周辺機器に指や手などを置くという簡易な操作だけで，入力データの格納場所を指定したり，送信先を指定したりすることができる。
【００１１】
上記課題を解決するために，本発明の別の観点によれば，複数のコンピュータにより共有される周辺機器であって：データを入力するデータ入力部と；各コンピュータを使用するユーザの生体識別情報を，入力されたデータの送信先情報として記憶する生体識別情報記憶部と；ユーザにより生体識別情報が入力される生体識別情報入力部と；記憶された生体識別情報と，入力された生体識別情報とからユーザを認証するユーザ認証部と；ユーザ認証部によりユーザ認証が行われた場合に，入力されたデータを生体識別情報に対応する送信先のコンピュータに送信するデータ送信部と；を備えることを特徴とする，周辺機器が提供される。
【００１２】
上記構成によれば，予めコンピュータを使用するユーザの生体識別情報がデータの送信先情報として登録され，周辺機器に入力された生体識別情報によりユーザ認証が行われる。正しくユーザ認証が行われた場合には，周辺機器に入力されたデータは，入力された生体識別情報を送信先情報とするコンピュータに送信される。これにより，ユーザは，生体認証を用いた簡易な操作で，周辺機器により読み取られたデータを自己が使用するコンピュータで取得することができる。すなわち，ユーザは，周辺機器に指や手などを置くという簡易な操作だけで，入力データの送信先を指定することができる。また，送信先情報として記憶された生体識別情報を用いてユーザ認証を行うため，パスワードの漏えい等を回避して，セキュリティを向上することができる。
【００１３】
また，上記周辺機器は，データ入力部により入力されたデータと，入力されたデータの送信先情報とを関連付けて記憶するデータ記憶部を備え，データ送信部は，ユーザの入力に応じて，データ記憶部に記憶されたデータを送信するようにしてもよい。
【００１４】
これにより，周辺機器に入力されたデータが生体識別情報に対応する送信先情報と関連付けて記憶される。そして，コンピュータより入力データの送信依頼があった場合に，送信依頼があったコンピュータを送信先情報とする入力データがコンピュータに送信される。また，データが生体識別情報に対応する送信先ごとに記憶されるため，ユーザは，周辺機器に指や手などを置くという簡易な操作だけで，入力データの格納場所を指定したり，送信先を指定したりすることができる。
【００１５】
上記周辺機器はスキャナ装置であり，上記データはスキャナ装置により読み取られる画像であってもよい。
【００１６】
上記課題を解決するために，本発明の別の観点によれば，複数のコンピュータと，コンピュータの数より少ない周辺機器とを用いて実現された周辺機器共有方法であって：上記コンピュータが，周辺機器に入力されたデータの送信先情報を登録するステップと；周辺機器から送信されたデータを受信するステップと；上記周辺機器が，データを入力するステップと；各コンピュータを使用するユーザの生体識別情報を，入力されたデータの送信先情報として記憶するステップと；ユーザにより生体識別情報が入力されるステップと；記憶された生体識別情報と，入力された生体識別情報とからユーザを認証するステップと；ユーザを認証するステップにおいてユーザ認証が行われた場合に，入力されたデータを生体識別情報に対応する送信先のコンピュータに送信するステップと；を含むことを特徴とする，周辺機器共有方法が提供される。
【００１７】
上記課題を解決するために，本発明の別の観点によれば，コンピュータに上記の周辺機器として機能させるコンピュータプログラムが提供される。上記コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【００１８】
上記課題を解決するために，本発明の別の観点によれば，複数のコンピュータと，コンピュータの数より少ない周辺機器とサーバ装置とが通信網を介して接続された周辺機器共有システムであって：上記コンピュータは，周辺機器に入力されたデータの送信先情報を登録する送信先情報登録部と；周辺機器から送信されたデータを受信するデータ受信部と；を備え，上記周辺機器は，データを入力するデータ入力部と；ユーザにより生体識別情報が入力される生体識別情報入力部と；を備え，上記サーバ装置は，各コンピュータを使用するユーザの生体識別情報を，入力されたデータの送信先情報として記憶する生体識別情報記憶部と；記憶された生体識別情報と，入力された生体識別情報とからユーザを認証するユーザ認証部と；ユーザ認証部によりユーザ認証が行われた場合に，入力されたデータを生体識別情報に対応する送信先のコンピュータに送信するデータ送信部と；を備えることを特徴とする，周辺機器共有システムが提供される。
【００１９】
上記構成によれば，予めコンピュータを使用するユーザの生体識別情報をデータの送信先情報としてサーバ装置に登録し，周辺機器に入力された生体識別情報によりユーザ認証が行われる。正しくユーザ認証が行われた場合には，周辺機器に入力されたデータはサーバ装置に送信され，サーバ装置は，入力された生体識別情報を送信先情報とするコンピュータにデータを送信する。これにより，ユーザは，生体認証を用いた簡易な操作で，周辺機器により読み取られたデータを自己が使用するコンピュータで取得することができる。すなわち，ユーザは，周辺機器に指や手などを置くという簡易な操作だけで，入力データの送信先を指定することができる。また，送信先情報として記憶された生体識別情報を用いてユーザ認証を行うため，パスワードの漏えい等を回避して，セキュリティを向上することができる。また，生体識別情報やデータを記憶するサーバ装置を周辺機器とは別体の装置として構成することにより，周辺機器の小型化，軽量化を図ることが可能となる。
【００２０】
上記サーバ装置は，周辺機器により入力されたデータと，入力されたデータの送信先情報とを関連付けて記憶するデータ記憶部を備え，上記コンピュータは，ユーザの入力に応じて，データ記憶部からのデータ送信を依頼するデータ送信依頼部を備えるようにしてもよい。
【００２１】
これにより，周辺機器に入力されたデータが生体識別情報に対応する送信先情報と関連付けて上記サーバ装置に記憶される。そして，コンピュータより入力データの送信依頼があった場合に，送信依頼があったコンピュータを送信先情報とする入力データがコンピュータに送信される。また，データが生体識別情報に対応する送信先ごとに記憶されるため，ユーザは，周辺機器に指や手などを置くという簡易な操作だけで，入力データの格納場所を指定したり，送信先を指定したりすることができる。
【００２２】
上記課題を解決するために，本発明の別の観点によれば，複数のコンピュータおよびサーバ装置と通信網を介して接続されたコンピュータの数より少ない周辺機器であって：データを入力するデータ入力部と；ユーザにより生体識別情報が入力される生体識別情報入力部と；を備え，生体識別情報は，入力されたデータの送信先情報としてサーバ装置に記憶され，サーバ装置に記憶された生体識別情報と，入力された生体識別情報とからユーザ認証が行われることを特徴とする，周辺機器が提供される。これにより，ユーザは，生体認証を用いて簡易な操作で周辺機器により読み取られたデータを自己が使用するコンピュータで取得することができる。すなわち，ユーザは，周辺機器に指や手などを置くという簡易な操作だけで，入力データの送信先を指定することができる。
【００２３】
上記周辺機器はスキャナ装置であり，上記データはスキャナ装置により読み取られる画像であってもよい。
【００２４】
上記課題を解決するために，本発明の別の観点によれば，複数のコンピュータとコンピュータの数より少ない周辺機器と通信網を介して接続されたサーバ装置であって：ユーザの入力に応じて，周辺機器にデータおよびユーザの生体識別情報とが入力されており，各コンピュータを使用するユーザの生体識別情報を，入力されたデータの送信先情報として記憶する生体識別情報記憶部と；記憶された生体識別情報と，入力された生体識別情報とからユーザを認証するユーザ認証部と；ユーザ認証部によりユーザ認証が行われた場合に，入力されたデータを生体識別情報に対応する送信先のコンピュータに送信するデータ送信部と；を備えることを特徴とする，サーバ装置が提供される。
【００２５】
上記構成によれば，予めコンピュータを使用するユーザの生体識別情報をデータの送信先情報として上記サーバ装置に登録し，周辺機器に入力された生体識別情報によりユーザ認証が行われる。正しくユーザ認証が行われた場合には，周辺機器に入力されたデータはサーバ装置に送信され，サーバ装置は，入力された生体識別情報を送信先情報とするコンピュータにデータを送信する。これにより，ユーザは，生体認証を用いた簡易な操作で，周辺機器に入力されたデータを自己が使用するコンピュータで取得することができる。すなわち，ユーザは，周辺機器に指や手などを置くという簡易な操作だけで，入力データの送信先を指定することができる。また，送信先情報として記憶された生体識別情報を用いてユーザ認証を行うため，パスワードの漏えい等を回避して，セキュリティを向上することができる。また，生体識別情報やデータを記憶するサーバ装置を周辺機器とは別体の装置として構成することにより，周辺機器の小型化，軽量化を図ることが可能となる。
【００２６】
また，上記サーバ装置は，周辺機器に入力されたデータと，入力されたデータの送信先情報とを関連付けて記憶するデータ記憶部を備え，上記データ送信部は，ユーザの入力に応じて，データ記憶部に記憶されたデータを送信するようにしてもよい。
【００２７】
これにより，周辺機器に入力されたデータが生体識別情報に対応する送信先情報と関連付けて上記サーバ装置に記憶される。そして，コンピュータより入力データの送信依頼があった場合に，送信依頼があったコンピュータを送信先情報とする入力データがコンピュータに送信される。また，データが生体識別情報に対応する送信先ごとに記憶されるため，ユーザは，周辺機器に指や手などを置くという簡易な操作だけで，入力データの格納場所を指定したり，送信先を指定したりすることができる。
【００２８】
上記課題を解決するために，本発明の別の観点によれば，複数のコンピュータと，コンピュータの数より少ない周辺機器とサーバ装置とを用いて実現された周辺機器共有システムであって：コンピュータが，周辺機器に入力されたデータの送信先情報を登録するステップと；周辺機器から送信されたデータを受信するステップと；サーバ装置が，各コンピュータを使用するユーザの生体識別情報を，周辺機器に入力されたデータの送信先情報として記憶するステップと；記憶された生体識別情報と，周辺機器に入力された生体識別情報とからユーザを認証するステップと；ユーザを認証するステップによりユーザ認証が行われた場合に，入力されたデータを生体識別情報に対応する送信先のコンピュータに送信するステップと；を含むことを特徴とする，周辺機器共有方法が提供される。
【００２９】
上記課題を解決するために，本発明の別の観点によれば，コンピュータに上記のサーバ装置として機能させるコンピュータプログラムが提供される。上記コンピュータプログラムは，コンピュータが備える記憶部に格納され，コンピュータが備えるＣＰＵに読み込まれて実行されることにより，そのコンピュータを上記の情報処理装置として機能させる。また，コンピュータプログラムが記録された，コンピュータで読み取り可能な記録媒体も提供される。記録媒体は，例えば，磁気ディスク，光ディスクなどである。
【発明の効果】
【００３０】
以上説明したように本発明によれば，生体認証を用いて，複数のコンピュータで共有する周辺機器の操作を容易にすることが可能な，新規かつ改良された周辺機器共有システム，周辺機器，周辺機器共有方法およびコンピュータプログラムを提供できる。
【発明を実施するための最良の形態】
【００３１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３２】
まず，本発明にかかる周辺機器共有システムの概略について説明する。本発明における周辺機器は，例えば，画像をスキャンするスキャナ装置，コピー機，ファクシミリなどを例示できる。以下本発明の周辺機器をスキャナ装置として説明する。
【００３３】
従来，ネットワークを介して複数のコンピュータに接続されたスキャナ装置において，スキャンされた画像はスキャナ装置内の記憶装置に保存される。スキャナ装置にはスキャナ装置を使用するユーザごとにスキャン画像の格納先となる親展ボックスが設定されており，スキャンされたスキャン画像が，各ユーザに対応する親展ボックスに格納される。ユーザがスキャナ装置内に保存された画像を取得する際には，ユーザの親展ボックスを指定して所望のスキャン画像を選択することができる。親展ボックスは，ユーザごとに設定され，各親展ボックスにはパスワードを設定することができるため，自己の親展ボックスに格納されたスキャン画像以外は取得することができないようになっている。
【００３４】
しかし，上記のように，スキャナ装置にスキャン画像を格納する親展ボックスが設定されている場合には，ユーザが画像をスキャンするごとに親展ボックスを指定しなくてはならない。また，親展ボックスにパスワードが設定されている場合には，ユーザは親展ボックスを使用するためのユーザＩＤとパスワードを記憶していなければならないため，使い勝手が悪く，操作が煩雑となってしまう。また，スキャナ装置に親展ボックスの選択のための入力装置を備える必要があり，スキャナ装置の構成が複雑化してしまう。
【００３５】
そこで，本発明にかかるスキャナ装置では，ユーザの生体識別情報をスキャン画像の送信先情報として登録し，生体認証によりユーザの認証を行って，簡易な操作で生体識別情報ごとにスキャン画像を格納したり，生体識別情報に対応するユーザのコンピュータにスキャン画像を送信したりすることが可能となる。
【００３６】
（第１実施形態）
図１に基づいて，本実施形態にかかる周辺機器共有システムの概略を説明する。図１は，本実施形態にかかる周辺機器共有システムの概略を示すブロック図である。図１に示したように，本実施形態にかかる周辺機器共有システムは，周辺機器１００と，複数のコンピュータ２００ａ，２００ｂ（以下コンピュータ２００と称する），サーバ装置３００などを備える。
【００３７】
本実施形態では，周辺機器１００と，複数のコンピュータ２００とサーバ装置３００とがネットワーク４００を介して接続されており，周辺機器１００から入力されたデータがサーバ装置３００に送信されて記憶される。サーバ装置３００に記憶されたデータは，コンピュータ２００からの送信要求に応じて送信される。以下では，周辺機器１００をスキャナ装置として，データをスキャナ装置に読み取られるスキャン画像として説明する。
【００３８】
スキャナ装置１００は，帳票などの印刷文書をスキャンして，スキャンしたスキャン画像をサーバ装置３００に送信する機能を有する装置である。また，スキャナ装置１００には生体認証装置１１０が組み込まれており，生体認証装置１１０は，スキャナ装置１００を使用するユーザの生体的特徴を識別することができる。本実施形態においては，生体認証装置１１０がスキャナ装置１００に組み込まれているが，生体認証装置１１０をスキャナ装置１００とは独立した装置として構成するようにしてもよい。生体認証とは，指紋や眼球の奥の虹彩，あるいは声などの生体的特徴によって本人確認を行う認証方式である。生体認証装置１１０により，スキャナ装置１００を使用するユーザを特定することができる。
【００３９】
生体認証装置１１０により，ユーザＩＤやパスワードを用いることなく本人確認を行うことが可能となるため，ユーザは，ユーザＩＤやパスワードを記憶したり，ユーザＩＤやパスワードを入力したりする必要がなくなる。また，パスワードを盗まれることによるなりすまし等による情報漏えいの危険性を低減することができる。本実施形態では，生体認証装置１１０に用いられる生体的特徴として，特に，ユーザの指紋，指静脈，手静脈などを例示することができる。スキャナ装置１００は，読み取ったスキャン画像と，生体認証装置１１０により読み取られた生体識別情報とをサーバ装置３００に送信する。スキャナ装置１００は，生体認証装置１１０により，ユーザの本人確認が行なわれた場合にのみ，印刷文書をスキャンして，スキャン画像をサーバ装置３００に送信するようにしてもよい。
【００４０】
コンピュータ２００は，スキャナ装置１００により送信されたスキャン画像の送信先情報を登録し，サーバ装置２００から，スキャン画像を受信する機能を有する情報処理装置である。コンピュータ２００は，スキャン画像の送信先情報として，ユーザの生体識別情報と，ユーザがコンピュータ２００にログインする際のユーザＩＤとをサーバ装置３００に送信して，スキャン画像の送信先情報を登録する。コンピュータ２００により送信されたユーザの生体識別情報とユーザＩＤは，サーバ装置３００により関連付けられて記憶される。
【００４１】
サーバ装置３００は，コンピュータ２００を使用する各ユーザの生体識別情報を記憶し，記憶された生体識別情報と，スキャン画像１００から送信された生体識別情報とからユーザの認証を行う機能を有する。また，ユーザの生体識別情報をスキャン画像の送信先情報として記憶する。上述したように，コンピュータ２００からは，コンピュータ２００の生体識別情報とユーザＩＤとが送信される。サーバ装置３００は，送信された生体識別情報とユーザＩＤとを関連付けて記憶する。スキャナ装置１００から送信された生体識別情報によりユーザの認証を行うとともに，生体識別情報に関連付けられたユーザＩＤと送信されたスキャン画像とを関連付けて記憶する。つまり，サーバ装置３００は，スキャナ装置１００から送信された生体識別情報からユーザＩＤを特定し，そのユーザＩＤでログインしているコンピュータ２００をスキャン画像の送信先として特定することが可能となる。
【００４２】
予め，コンピュータ２００がユーザの生体識別情報とユーザＩＤとを送信して，サーバ装置３００において生体識別情報とユーザＩＤとが関連付けられて記憶されることにより，スキャナ装置１００を使用するユーザは，生体認証装置１１０に指や手などを置くという簡単な操作だけで，スキャン画像の格納場所を指定したり，送信先を指定したりすることが可能となるとなる。
【００４３】
ネットワーク４００は，スキャナ装置１００と，サーバ装置３００と，コンピュータ２００とを双方向通信可能に接続する通信回線網である。例えば，インターネット，電話回線網，衛星通信網等の公衆回線網や，ＷＡＮ，ＬＡＮ，ＩＰ−ＶＰＮ等の専用回線網などで構成されており，有線・無線を問わない。以上，本実施形態にかかる周辺機器共有システムの概略を説明した。次に，図２に基づいて，本実施形態にかかるスキャナ装置１００，コンピュータ２００およびサーバ装置３００の機能構成について説明する。
【００４４】
図２は，本実施形態にかかるスキャナ装置１００，コンピュータ２００およびサーバ装置３００の機能構成を示すブロック図である。図２に示したように，スキャナ装置１００は，生体識別情報入力部１０２と，データ入力部１０４などを備える。
【００４５】
生体識別情報入力部１０２は，ユーザの入力を受け付ける機能を有するインタフェースであって，ユーザにより入力された生体識別情報をサーバ装置３００に送信する。生体識別情報入力部１０２としては，上述のスキャナ装置１００に備わる生体認証装置１１０を例示することができる。また，サーバ装置３００によりユーザ認証が行われた場合に，ユーザ認証結果をデータ入力部１０４に通知する。
【００４６】
データ入力部１０４は，ユーザの入力を受け付ける機能を有するインタフェースであって，ユーザにより入力されたデータをサーバ装置３００に送信する。データ入力部１０４は，生体識別情報入力部１０２から通知されたユーザ認証結果に応じて，ユーザにより入力されたデータをサーバ装置３００に送信するようにしてもよい。例えば，ユーザ認証が正しく行われたことを通知された場合には入力データをサーバ装置３００に送信し，ユーザ認証が正しく行われなかった場合には入力データをサーバ装置３００に送信しないようにしてもよい。また，ユーザ認証が正しく行われた場合にのみ，スキャナ装置に置かれた帳票等を読み取るようにしてもよい。
【００４７】
次に，サーバ装置３００の機能構成について説明する。図２に示したように，サーバ装置３００は，生体識別情報記憶部３０２と，ユーザ認証部３０４と，データ受信部３０６と，データ記憶部３０８と，データ送信部３１０などを備える。
【００４８】
生体識別情報記憶部３０２は，コンピュータ２００を使用するユーザの生体識別情報を，スキャナ装置１００に読み取られたスキャン画像の送信先情報として記憶する機能を有する。具体的には，後述するコンピュータ２００から送信された各ユーザの生体識別情報と，コンピュータ２００にログインする際に使用されるユーザＩＤとを関連付けて記憶する。
【００４９】
ユーザ認証部３０４は，生体識別情報記憶部３０２に記憶された生体識別情報と，スキャナ装置１００から送信された生体識別情報とからユーザ認証を行う機能を有する。スキャナ装置１００から送信された生体識別情報が生体識別情報記憶部３０２に記憶されている場合には，ユーザ認証が正しく行われたと判定し，記憶されていない場合には，ユーザ認証が正しく行われなかったと判定する。ユーザ認証部３０４は，ユーザ認証の認証結果をスキャナ装置１００に送信する。また，正しくユーザ認証が行われた生体識別情報に対応するユーザＩＤをデータ受信部３０６に提供する。
【００５０】
データ受信部３０６は，例えば，通信回線，通信回路，通信デバイス等で構成された通信インタフェースであって，スキャナ装置１０４から送信されたデータを受信する機能を有する。本実施形態では，データ受信部３０６は，スキャナ装置１００により読み取られたスキャン画像を受信する。データ受信部３０６により受信されたスキャン画像は，データ記憶部３０８に記憶される。データ受信部３０６は，スキャン画像をデータ記憶部３０８に記憶する際に，ユーザ認証部３０４より提供されたユーザＩＤと関連付けて記憶する。これにより，スキャナ装置１００から送信されたスキャン画像は，ユーザＩＤごとにデータ記憶部３０８に記憶される。
【００５１】
データ送信部３１０は，例えば，通信回線，通信回路，通信デバイス等で構成された通信インタフェースであって，コンピュータ２００からの送信要求に応じて，データ記憶部３０８に記憶されたスキャン画像をコンピュータ２００に送信する機能を有する。具体的には，コンピュータ２００から送信要求とともにユーザＩＤがデータ送信部３１０に送信され，データ送信部３１０は，送信されたユーザＩＤに関連付けられたスキャン画像をデータ記憶部３０８から取得してコンピュータ２００に送信する。
【００５２】
以上，サーバ装置３００の機能構成について説明した。次に，コンピュータ２００の機能構成について説明する。図２に示したように，コンピュータ２００は，送信先情報登録部２０２と，データ送信依頼部２０４と，データ受信部３０６などを備える。
【００５３】
送信先情報登録部２０２は，スキャナ装置１００に入力されたデータの送信先情報を登録する機能を有する。具体的には，スキャン画像の送信先情報として，ユーザの生体識別情報と，ユーザがコンピュータ２００にログインする際に使用するユーザＩＤとをサーバ装置３００に送信する。ユーザによりスキャナ装置１００が使用される前に，予めユーザの生体識別情報とユーザＩＤとをサーバ装置３００に送信することにより，スキャナ装置１００で読み取られたスキャン画像の送信先情報を登録することができる。
【００５４】
データ送信依頼部２０４は，サーバ装置３００に備わるデータ記憶部３０８に記憶されたスキャン画像の送信を依頼する。データ送信依頼部２０４は，スキャン画像の送信依頼とともに，コンピュータ２００にログインしているユーザのユーザＩＤをサーバ装置３００に送信する。
【００５５】
データ受信部２０６は，例えば，通信回線，通信回路，通信デバイス等で構成された通信インタフェースであって，サーバ装置３００から送信されたスキャン画像を受信する。コンピュータ２００に表示部が備えられている場合には，データ受信部２０６により受信されたスキャン画像を表示部に表示させるようにしてもよい。また，受信したスキャン画像の種類に応じて表示部の表示を切り替えたり，アプリケーションを起動させたりするようにしてもよい。以上，コンピュータ２００の機能構成について説明した。
【００５６】
上記構成によれば，予めコンピュータ２００を使用するユーザの生体識別情報をスキャン画像の送信先情報として登録し，スキャナ装置１００に入力された生体識別情報によりユーザ認証が行われる。正しくユーザ認証が行われた場合には，スキャナ装置１００に読み取られたスキャン画像がサーバ装置３００に送信されて記憶される。そして，コンピュータ２００よりスキャン画像の送信依頼があった場合には，コンピュータ２００を送信先情報とするスキャン画像が送信される。これにより，ユーザは，生体認証を用いた簡易な操作で，スキャン装置により読み取られたスキャン画像をログインしたコンピュータで取得することができる。また，スキャン画像が生体識別情報に対応する送信先ごとに記憶されるため，ユーザは，スキャナ装置に備わる生体認証装置に指や手などを置くという簡易な操作だけで，スキャン画像の格納場所を指定したり，送信先を指定したりすることができる。また，送信先情報として記憶された生体識別情報を用いてユーザ認証を行うため，パスワードの漏えい等を回避して，セキュリティを向上することができる。
【００５７】
次に，図３およびに基づいて，本実施形態にかかる周辺機器共有システムにおける処理の流れについて説明する。図３および図４は，本実施形態にかかる周辺機器共有システムの処理の流れを説明するフローチャートである。
【００５８】
まず，スキャナ装置１００に原稿がセットされる（Ｓ１０２）。次に，スキャナ装置１００に組み込まれた生体認証装置１１０に生体識別情報が入力される（Ｓ１０４）。ステップＳ１０４において入力された生体識別情報が，サーバ装置３００に送信される（Ｓ１０６）。サーバ装置３００に予め記憶された生体識別情報の中に，ステップＳ１０６において送信された生体識別情報と一致するものがあるか否かを判定する（Ｓ１０８）。
【００５９】
ステップＳ１０８において，生体認証装置１１０に入力された生体識別情報が，サーバ装置３００の生体識別情報記憶部３０２に記憶されていると判定された場合に，サーバ装置３００からスキャナ装置１００へ生体識別情報の識別完了を送信する（Ｓ１１０）。ステップＳ１１０において，識別完了通知を受信したスキャナ装置１００は，ステップＳ１０２においてセットされた原稿を読み取る（Ｓ１１２）。ステップＳ１１２において読み取られたスキャン画像がサーバ装置３００に送信される（Ｓ１１４）。ステップＳ１１４においてスキャン画像を送信されたサーバ装置３００は，スキャン画像と，ステップＳ１０６において送信された生体識別情報に対応するユーザＩＤとを関連付けて記憶する（Ｓ１１６）。
【００６０】
ステップＳ１０８において，生体認証装置１００に入力された生体識別情報が，サーバ装置３００の生体識別情報記憶部３０２に記憶されていないと判定された場合には，サーバ装置３００は，スキャナ装置１００に識別エラーを送信する（Ｓ１１８）。そして，スキャナ装置１００は読み取りエラーを表示する（Ｓ１２０）。ここで，スキャナ装置１００によりユーザにエラーを通知する方法として，ディスプレイ表示の他，警告音や音声，警告ランプ点灯などによりエラーを通知してもよい。
【００６１】
以上，スキャナ装置１００において生体識別情報とスキャン画像が入力されて，サーバ装置３００においてスキャン画像が記憶するまでの処理の流れを説明した。次に，図４に基づいて，サーバ装置３００に記憶されたスキャン画像をコンピュータ２００が取得する処理について説明する。
【００６２】
ステップＳ１２０において，ユーザによりコンピュータ２００に画像取得開始入力がなされる（Ｓ１２０）。ステップＳ１２０においてユーザにより画像取得開始入力がなされると，コンピュータ２００からサーバ装置３００へ，コンピュータ２００にログインしているユーザのユーザＩＤが送信される（Ｓ１２２）。そして，ステップＳ１２２において送信されたユーザＩＤに対応するスキャン画像がサーバ装置に記憶されているか否かを判定する（Ｓ１２４）。ステップＳ１２４において，送信されたユーザＩＤに対応するスキャン画像がサーバ装置に記憶されていると判定された場合には，ユーザＩＤに対応するスキャン画像をコンピュータ２００に送信する（Ｓ１２６）。そして，コンピュータ２００は，コンピュータ２００の表示部に画像取得完了を表示する（Ｓ１２８）。
【００６３】
ステップＳ１２４において，ユーザＩＤに対応するスキャン画像がサーバ装置に記憶されていないと判定された場合には，サーバ装置３００はコンピュータ２００に対応するスキャン画像が存在しない旨のエラーを送信する（Ｓ１３０）。そして，コンピュータ２００は，画像なしエラーを表示部に表示する（Ｓ１３２）。以上，サーバ装置３００に記憶されたスキャン画像をコンピュータ２００が取得する処理について説明した。次に，図５に基づいて，周辺機器１００とコンピュータ２００とサーバ装置３００の間の情報の流れについて説明する。
【００６４】
図５は，周辺機器１００とコンピュータ２００とサーバ装置３００との間の情報の流れを説明するタイミングチャートである。まず，コンピュータ２００は，周辺機器１００に入力されたデータの送信先情報を登録する（Ｓ１４０）。具体的には，コンピュータ２００を使用するユーザの生体識別情報とユーザＩＤとがサーバ装置３００に送信される。ステップＳ１４０において生体識別情報を送信されたサーバ装置３００は，送信された生体識別情報を，データの送信先情報として記憶する（Ｓ１４２）。具体的には，サーバ装置３００は，送信された生体識別情報とユーザＩＤとを関連付けて記憶する。
【００６５】
そして，周辺機器１００は，ユーザにより入力された生体識別情報をサーバ装置３００に送信する（Ｓ１４４）。サーバ装置３００は，ステップＳ１４４において送信された生体識別情報と記憶された生体識別情報とからユーザ認証を行う（Ｓ１４６）。具体的には，記憶された生体識別情報の中に，送信された生体識別情報に対応するものがあった場合に，正しくユーザ認証が行われたことを通知する。ステップＳ１４６において正しくユーザ認証が行われたことを通知された周辺機器１００は，データを入力してサーバ装置３００に送信する（Ｓ１４８）。サーバ装置３００は，ステップＳ１４８において送信されたデータを記憶する（Ｓ１５０）。サーバ装置３００は，送信されたデータを記憶する際に，ステップＳ１４４において送信された生体識別情報に対応するユーザＩＤと，ステップＳ１４８において送信されたデータを関連付けて記憶する。これにより，ステップＳ１４８において送信されたデータが，ユーザＩＤごとに記憶される。
【００６６】
そして，コンピュータ２００は，サーバ装置３００に記憶されたデータの送信を依頼する（Ｓ１５２）。具体的には，データの送信依頼とともに，コンピュータ２００にログインされたユーザのユーザＩＤを送信する。ステップＳ１５２においてコンピュータ２００にデータ送信を依頼されたサーバ装置３００は，データの送信依頼とともに送信されたユーザＩＤに関連付けられたデータをコンピュータ２００に送信する（Ｓ１５２）。
【００６７】
以上，周辺機器１００とコンピュータ２００とサーバ装置３００との間の情報の流れについて説明した。本実施形態では，サーバ装置３００において受信したスキャン画像が記憶され，コンピュータ２００からの送信要求に応じてスキャン画像を送信しているが，次に説明する第２実施形態では，サーバ装置３００において受信したスキャン画像を記憶せずに，入力された生体識別情報に対応するユーザＩＤでログインされたコンピュータ２００に送信する。
【００６８】
（第２実施形態）
本実施形態は，第１実施形態と比べ，サーバ装置３００のデータ記憶部３０８にスキャン画像を記憶せずに，スキャナ装置１００から送信されたスキャン画像を直接コンピュータ２００に送信する点で異なっている。以下では，第１実施形態とは異なる機能について主に説明する。
【００６９】
本実施形態においては，サーバ装置３００において，スキャナ装置１００から送信されたスキャン画像を，該スキャン画像に対応する生体識別情報を送信先情報とするコンピュータ２００に送信する。具体的には，サーバ装置３００がスキャン画像をコンピュータ２００に送信する際に，スキャナ装置１００から送信された生体識別情報に関連付けられたユーザＩＤでログインしているコンピュータ２００が存在するか否かを判定し，存在する場合にそのコンピュータ２００にスキャン画像を送信する。
【００７０】
図６および図７に基づいて，本実施形態にかかる周辺機器共有システムにおける処理の流れについて説明する。図６および図７は，本実施形態にかかる周辺機器共有システムの処理の流れを説明するフローチャートである。
【００７１】
まず，スキャナ装置１００に原稿がセットされる（Ｓ２０２）。次に，スキャナ装置１００に組み込まれた生体認証装置１１０に生体識別情報が入力される（Ｓ２０４）。ステップＳ２０４において入力された生体識別情報が，サーバ装置３００に送信される（Ｓ２０６）。サーバ装置３００に予め記憶された生体識別情報の中に，ステップＳ２０６において送信された生体識別情報と一致するものがあるか否かを判定する（Ｓ２０８）。
【００７２】
ステップＳ２０８において，生体認証装置１１０に入力された生体識別情報が，サーバ装置３００の生体識別情報記憶部３０２に記憶されていると判定された場合に，サーバ装置３００からスキャナ装置１００へ生体識別情報の識別完了を送信する（Ｓ２１０）。ステップＳ２１０において，識別完了通知を受信したスキャナ装置１００は，ステップＳ２０２においてセットされた原稿を読み取る（Ｓ２１２）。ステップＳ２１２において読み取られたスキャン画像がサーバ装置３００に送信される（Ｓ２１４）。
【００７３】
ステップＳ２０８において，生体認証装置１００に入力された生体識別情報が，サーバ装置３００の生体識別情報記憶部３０２に記憶されていないと判定された場合には，サーバ装置３００は，スキャナ装置１００に識別エラーを送信する（Ｓ２１６）。そして，スキャナ装置１００において読み取りエラーを表示する（Ｓ２１８）。
【００７４】
そして，サーバ装置３００は，コンピュータ２００からログイン状態を取得する（Ｓ２２０）。サーバ装置３００は，定期的に，またはスキャナ装置１００から生体識別情報が送信された場合に，コンピュータ２００のログイン状態を取得するようにしてもよい。サーバ装置３００には，複数のコンピュータ２００が接続されているため，接続された複数のコンピュータ２００のログイン状態を取得する。ここで，ログイン状態を取得するとは，コンピュータ２００を使用するユーザのユーザＩＤを取得するようにしてもよい。
【００７５】
そして，スキャナ装置１００において原稿読み取りを行ったユーザがコンピュータ２００にログインしているか否かを判定する（Ｓ２２２）。具体的には，スキャナ装置１００から送信される生体識別情報に関連付けられたユーザＩＤが，ステップＳ２２０において取得したユーザＩＤに存在するか否かを判定する。
【００７６】
ステップＳ２２２において原稿読み取りを行ったユーザがコンピュータ２００にログインしていると判定された場合には，そのコンピュータ２００にスキャン画像を送信する（Ｓ２２４）。そして，コンピュータ２００は，コンピュータ２００の表示部に画像取得完了を表示する（Ｓ２２６）。
【００７７】
ステップＳ２２２において，スキャナ装置１００において原稿読み取りを行ったユーザがコンピュータ２００にログインしていないと判定された場合には，スキャナ装置１００で読み取ったスキャン画像の画像情報を破棄する（Ｓ２２８）。そして，スキャナ装置１００にコンピュータ２００にスキャン画像を送信できなかった旨のデータ送信エラーを送信する（Ｓ２３０）。そして，スキャナ装置１００はデータ送信エラーを表示する（Ｓ２３２）。以上，本実施形態にかかる周辺機器共有システムの処理の流れを説明した。次に，図８に基づいて，周辺機器１００とコンピュータ２００とサーバ装置３００の間の情報の流れについて説明する。
【００７８】
図８は，周辺機器１００とコンピュータ２００とサーバ装置３００の間の情報の流れを説明するタイミングチャートである。まず，コンピュータ２００は，周辺機器１００に入力されたデータの送信先情報を登録する（Ｓ２４０）。具体的には，コンピュータ２００を使用するユーザの生体識別情報とユーザＩＤとがサーバ装置３００に送信される。ステップＳ２４０において生体識別情報を送信されたサーバ装置３００は，送信された生体識別情報を，データの送信先情報として記憶する（Ｓ２４２）。具体的には，サーバ装置３００は，送信された生体識別情報とユーザＩＤとを関連付けて記憶する。
【００７９】
そして，周辺機器１００は，ユーザにより入力された生体識別情報をサーバ装置３００に送信する（Ｓ２４４）。サーバ装置３００は，ステップＳ２４４において送信された生体識別情報と記憶された生体識別情報とからユーザ認証を行う（Ｓ２４６）。具体的には，記憶された生体識別情報の中に，送信された生体識別情報に対応するものがあった場合に，正しくユーザ認証が行われたことを通知する。ステップＳ２４６において正しくユーザ認証が行われたことを通知された周辺機器１００は，データを入力してサーバ装置３００に送信する（Ｓ２４８）。
【００８０】
ステップＳ２４８において周辺機器１００からデータを送信されたサーバ装置３００は，接続されているコンピュータ２００のログイン状態を取得する（Ｓ２５０）。具体的には，サーバ装置３００は，コンピュータ２００を使用するユーザのユーザＩＤを取得する。ステップＳ２４４において取得した生体識別情報に対応するユーザＩＤと，ステップＳ２５０において取得したユーザＩＤとが一致する場合に，サーバ装置３００は，コンピュータ２００にデータを送信する。上述したように，複数のコンピュータ２００がサーバ装置３００に接続されている場合には，データの送信先に該当するコンピュータ２００にデータを送信する。以上，周辺機器１００とコンピュータ２００とサーバ装置３００の間の情報の流れを説明した。
【００８１】
本実施形態によれば，サーバ装置３００にデータを記憶するための記憶装置を備える必要がなく，サーバ装置３００の構成を簡易化できるとともに，サーバ装置３００に大容量の記憶装置を備える必要がなくなる。以上，第２実施形態について説明した。
【００８２】
（第３実施形態）
サーバ装置３００の機能をスキャナ装置１００に備えるようにしてもよい。その場合には，図９に示したように，スキャナ装置１００とサーバ装置３００の機能を備える外部装置１５０とがケーブルなどにより接続されてもよいし，スキャナ装置１００に外部装置１５０が組み込まれてもよい。本実施形態にかかる周辺機器共有システムの構成は，第１実施形態および第２実施形態のいずれの構成としてもよく，各装置の構成はほぼ同じであるため，説明を省略する。周辺機器共有システムの構成を本実施形態の構成とすることにより，ネットワーク構成を簡易化することができる。
【００８３】
上記第１〜第３の実施形態によれば，生体認証を用いた簡易な操作で，スキャナ装置により読み取られたスキャン画像を自己が使用するコンピュータで取得することができる。すなわち，ユーザは，スキャナ装置に備わる生体認証装置に指や手などを置くという簡易な操作だけで，スキャン画像の送信先を指定することができる。また，送信先情報として記憶された生体識別情報を用いてユーザ認証を行うため，パスワードの漏えい等を回避して，セキュリティを向上することが可能となる。
【００８４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００８５】
上記実施形態では，スキャナ装置により読み取られたスキャン画像をコンピュータに送信するようにしているが，例えば，スキャナ装置を，金融窓口受付端末装置における伝票読み取りスキャナとしてもよい。この場合，伝票をスキャン画像として読み取り後，コンピュータに画像情報を送信して，コンピュータ上で伝票の画像情報から伝票種類を認識して，伝票種類に対応した取引画面を表示させるようにしてもよい。
【００８６】
また，上記実施形態では，生体認証装置を利用して本人確認を行っているが，かかる例に限定されず，生体認証に代えて，ＩＤカードやＩＣカード等周辺機器を使用するユーザを識別可能な方法を用いて本発明を実現することができる。
【産業上の利用可能性】
【００８７】
本発明は，複数のコンピュータで，コンピュータの数より少ない周辺機器を共有する周辺機器共有システムに適用可能である。
【図面の簡単な説明】
【００８８】
【図１】本発明の第１の実施形態にかかる周辺機器共有システムの概略を示すブロック図である。
【図２】同実施の形態におけるスキャナ装置，コンピュータおよびサーバ装置の機能構成を示すブロック図である。
【図３】同実施の形態における周辺機器共有システムにおける処理の流れについて説明するフローチャートである。
【図４】同実施の形態における周辺機器共有システムにおける処理の流れについて説明するフローチャートである。
【図５】同実施の形態における周辺機器とコンピュータとサーバ装置との間の情報の流れを説明するタイミングチャートである。
【図６】本発明の第２の実施形態にかかる周辺機器共有システムにおける処理の流れについて説明するフローチャートである。
【図７】同実施の形態における周辺機器共有システムにおける処理の流れについて説明するフローチャートである。
【図８】同実施の形態における周辺機器とコンピュータとサーバ装置との間の情報の流れを説明するタイミングチャートである。
【図９】本発明の第３の実施形態にかかる周辺機器共有システムの概略を示すブロック図である。
【符号の説明】
【００８９】
１００      周辺機器（スキャナ装置）
１０２      生体識別情報入力部
１０４      データ入力部
２００      コンピュータ
２０２      送信先情報登録部
２０４      データ送信依頼部
２０６      データ受信部
３００      サーバ装置
３０２      生体識別情報記憶部
３０４      ユーザ認証部
３０６      データ受信部
３０８      データ記憶部
３１０      データ送信部
【図１】
2007080017.tif 000003
【図２】
2007080017.tif 000004
【図３】
2007080017.tif 000005
【図４】
2007080017.tif 000006
【図５】
2007080017.tif 000007
【図６】
2007080017.tif 000008
【図７】
2007080017.tif 000009
【図８】
2007080017.tif 000010
【図９】
2007080017.tif 000011